【事件の表示】
　特願２０１４−２６３３７５号「リザーバー一体型のウォッシャー液加熱装置」拒絶査定不服審判事件〔平成２８年３月７日出願公開、特開２０１６−　３０５９２号〕について、次のとおり審決する。
【結　論】
　本件審判の請求は、成り立たない。
【理　由】
第１　手続の経緯
　本願は、２０１４年（平成２６年）１２月２５日（パリ条約による優先権主張２０１４年（平成２６年）７月２９日、韓国（ＫＲ））の出願であって、その手続の経緯は以下のとおりである。
平成３０年　７月１２日付け：拒絶理由通知書
平成３０年１０月１９日　　：意見書、手続補正書の提出
平成３０年１０月２４日　　：意見書の提出
平成３１年　２月１４日付け：拒絶査定
令和　１年　６月２５日　　：審判請求書、手続補正書の提出
第２　令和１年６月２５日にされた手続補正についての補正の却下の決定
［補正の却下の決定の結論］
　令和１年６月２５日にされた手続補正（以下「本件補正」という。）を却下する。
　
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
「リザーバーと一体に装着されて該リザーバーから流入するウォッシャー液が保存される補助タンク、及び
　前記補助タンクと一体に装着されて該補助タンクに保存されているウォッシャー液を加熱するヒーターアセンブリーを含み、
　前記ヒーターアセンブリーは、
　前記補助タンク内のウォッシャー液を加熱するために前記補助タンクのホールに設置される板状のヒーターを含み、
　前記板状のヒーターは発熱される加熱面が前記補助タンク内のウォッシャー液を加熱できるように前記ホールを通じて前記補助タンクの内側に露出するように固定され、
　前記リザーバーの下部に形成されたホールの注入口が補助タンクの上部に形成され、
　前記リザーバーのホールに補助タンクの注入口が繋がれることで、リザーバー内のウォッシャー液が高さの差異及び圧力によって補助タンクに流入されて満たされ、
　前記ヒーターアセンブリーは、
　前記板状のヒーターを取り囲むように前記補助タンクに組み立てられる保護カバー、及び
　前記板状のヒーターと保護カバーを前記補助タンクに固定するための締め付け手段をさらに含
み、
　
前記補助タンクにウォッシャーポンプが繋がって前記補助タンクに保存されたウォッシャー液が前記ウォッシャーポンプによって吸入された後、ウォッシャーホースを通じてウォッシャーノズルへ送り出されるようにし、
　前記ヒーターが設置される補助タンクのホールは、前記ウォッシャーポンプによってウォッシャー液の吸入がなされる位置より低い位置に形成される
　
（２）本件補正前の特許請求の範囲
　本件補正前の、平成３０年１０月１９日にされた手続補正により補正された特許請求の範囲の請求項１の記載は次のとおりである。
「リザーバーと一体に装着されて該リザーバーから流入するウォッシャー液が保存される補助タンク、及び
　前記補助タンクと一体に装着されて該補助タンクに保存されているウォッシャー液を加熱するヒーターアセンブリーを含み、
　前記ヒーターアセンブリーは、
　前記補助タンク内のウォッシャー液を加熱するために前記補助タンクのホールに設置される板状のヒーターを含み、
　前記板状のヒーターは発熱される加熱面が前記補助タンク内のウォッシャー液を加熱できるように前記ホールを通じて前記補助タンクの内側に露出するように固定され、
　前記リザーバーの下部に形成されたホールの注入口が補助タンクの上部に形成され、
　前記リザーバーのホールに補助タンクの注入口が繋がれることで、リザーバー内のウォッシャー液が高さの差異及び圧力によって補助タンクに流入されて満たされ、
　前記ヒーターアセンブリーは、
　前記板状のヒーターを取り囲むように前記補助タンクに組み立てられる保護カバー、及び
　前記板状のヒーターと保護カバーを前記補助タンクに固定するための締め付け手段をさらに含むことを特徴とするリザーバー一体型のウォッシャー液加熱装置。」
２　補正の適否
　本件補正は、本件補正前の請求項１に記載された発明を特定するために必要な事項である「補助タンク」及び「補助タンクのホール」の構成ないしそれらの関係について、上記のとおり下線部に示す限定を付加するものであって、補正前の請求項１に記載された発明と補正後の請求項１に記載される発明の産業上の利用分野及び解決しようとする課題が同一であるから、特許法第１７条の２第５項２号の特許請求の範囲の減縮を目的とするものに該当する。
　そこで、本件補正後の請求項１に記載される発明（以下「本件補正発明」という。）が特許法第１７条の２第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
　
（２）引用文献の記載事項
ア　引用文献１
（ア）原査定の拒絶の理由で引用された本願の優先日前に頒布された引用文献である、実願昭５３−１６８３２０号（実開昭５５−８５３５２号）のマイクロフィルム（以下「引用文献１」という。）には、図面とともに、次の記載がある。（下線は、当審で付した。以下同様。）
ａ　１ページ４〜末行　
「２．実用新案登録請求の範囲
(1)
ウオツシヤ液を加熱する加熱部を有する加熱タンクと、
　
前記加熱タンクより大きい容積を有し、前記加熱タンクと連通した補充タンクと、
　
前記加熱タンクからウオツシヤ液を受けて噴出する噴射ノズルと、
　
前記加熱タンク内のウオツシヤ液が予じめ定めた温度以下の時前記加熱部を作動させ、前記予じめ定めた温度に達した時その作動を停止させるように前記加熱部を制御する温度制御回路と、
　
前記温度制御回路を作動させる指示部とより構成されることを特徴とするウインドウウオツシヤ装置
ｂ　２ページ１１〜１４行
「　本考案は自動車のウインドウウオツシヤ装置に関し、特に、加熱された適温のウインドウウオツシヤ液を噴出するウインドウウオツシヤ装置に関する。」
ｃ　５ページ１５行〜６ページ１７行
「第２図は、本考案による
ウインドウウオツシヤ装置
両者は断面の小さい連通穴２１７で連通されていて補充タンク２１１のウオツシヤ液が加熱タンク２１２へ供給され、常にウオツシヤ液で充満されている。加熱タンク２１２はヒータ４５を有し
加熱タンク２１２のウオツシヤ液はその側壁に設けたウオツシヤ液の流出口２１４からポンプ３１およびモータ３２で構成されるモータポンプで吸み出され、管路２２２を介して噴射ノズル２２から噴出される
ｄ　以下の図面が示されている。
　
（イ）上記記載から、引用文献１には、次の事項が記載されているものと認められる。
ａ　記載事項ａの２．実用新案登録請求の範囲の(1)に記載されている「加熱部」、「加熱タンク」、「補充タンク」、及び「噴射ノズル」は、それぞれ、記載事項ｃに記載されている、「第１の実施例」における「ヒータ４５」、「加熱タンク２１２」、「補充タンク２１１」、及び「噴射ノズル２２」に対応していること。
ｂ　第２図から、「加熱タンク２１２」は「補充タンク２１１」の下部に一体にされており、「ヒータ４５」は「加熱タンク２１２」の底部に一体にされていること。
ｃ　記載事項ｃから、補充タンク２１１及び加熱タンク２１２は断面の小さい連通穴２１７で連通されていて前記補充タンク２１１のウオツシヤ液が前記加熱タンク２１２へ供給され、前記加熱タンク２１２は常にウオツシヤ液で充満されており、
　前記加熱タンク２１２のウオツシヤ液はその側壁に設けたウオツシヤ液の流出口２１４から管路２２２を介してポンプ３１およびモータ３２で構成されるモータポンプで吸み出され、管路２２２を介して噴射ノズル２２から噴出されること。
（ウ）上記（ア）、（イ）から、引用文献１には、次の発明（以下「引用発明」という。）が記載されていると認められる。
「ウオツシヤ液を加熱するヒータ４５を有する加熱タンク２１２と、
　前記加熱タンク２１２より大きい容積を有し、前記加熱タンク２１２と連通した補充タンク２１１と、
　前記加熱タンク２１２からウオツシヤ液を受けて噴出する噴射ノズル２２と、
　前記加熱タンク２１２内のウオツシヤ液が予じめ定めた温度以下の時前記ヒータ４５を作動させ、前記予じめ定めた温度に達した時その作動を停止させるように前記ヒータ４５を制御する温度制御回路と、
　前記温度制御回路を作動させる指示部とより構成されるウインドウウオツシヤ装置であって、
　前記加熱タンク２１２は前記補充タンク２１１の下部に一体にされており、
　前記補充タンク２１１及び前記加熱タンク２１２は断面の小さい連通穴２１７で連通されていて前記補充タンク２１１のウオツシヤ液が前記加熱タンク２１２へ供給され、前記加熱タンク２１２は常にウオツシヤ液で充満されており、
　前記ヒータ４５は前記加熱タンク２１２の底部に一体にされており、前記加熱タンク２１２のウオツシヤ液はその側壁に設けたウオツシヤ液の流出口２１４から管路２２２を介してポンプ３１およびモータ３２で構成されるモータポンプで吸み出され、管路２２２を介して前記噴射ノズル２２から噴出されるウインドウウオツシヤ装置。」
　
イ　引用文献２
（ア）原査定に引用され、本願の優先日前に頒布された実願昭６３−３３００８号（実開平１−１３７０９４号）のマイクロフィルム（以下「引用文献２」という。）には、図面とともに、次の記載がある。
ａ　１ページ１３〜１５行
「（ａ）産業上の利用分野
　この考案は、
被加熱体に接して加熱を行うヒータ用正特性サーミスタ装置に関する
ｂ　２ページ１〜１１行
「第４図は従来のヒータ用正特性サーミスタ装置の外観を表す図であり、（Ａ）は上面図、（Ｂ）は正面図である。図において１はカバー、２は底板であり、皿状に成型されたカバー１と底板２との間に正特性サーミスタ素子が収納されている。３ａ〜３ｄは正特性サーミスタ素子の電極に接続された端子であり、これらの端子間に通電を行うことにより内部の正特性サーミスタ素子が発熱する。底板２は発熱面として作用し、被加熱体に接して熱を伝える。なお、
４ａ〜４ｈは被加熱体に対する取付用の孔である
ｃ　５ページ４行〜６ページ末行　
「(f)実施例
第１図はこの考案の実施例であるヒータ用サーミスタ装置の外観を表す図であり、（Ａ）は上面図、（Ｂ）は正面図、（Ｃ）は底面図である。また第２図は第１図（Ａ）に示したＸ−Ｘの矢視断面図である。
　これらの図において１はカバー、２は底板であり、
皿状に成型されたカバー１と底板２との間に形成される空間内に２つの正特性サーミスタ素子６ａ，６ｂが収納されている
　
底板２の表面には格子状の放熱フィン５が設けられている
　第３図（Ａ），（Ｂ）は上記ヒータ用正特性サーミスタ装置を製品に組み込んだ例を示している。この製品は
水を加熱して
１０は水１２を入れる容器であり、その底面部分に開口部１１が形成されていて、上記ヒータ用正特性サーミスタ装置が底部からゴム製パッキングを挟んで取り付けられている
ｄ　以下の図面が示されている。
　
（イ）上記記載、特に、第３図（Ｂ）に示されているように、ヒータ用正特性サーミスタ装置を容器１０に適用した形態から、引用文献２には、次の事項が記載されていると認められる。
「水に接して加熱を行うヒータ用正特性サーミスタ装置において、
　皿状に成型されたカバー１と底板２との間に形成される空間内に２つの正特性サーミスタ素子６ａ，６ｂが収納され、底板２の表面には格子状の放熱フィン５が設けられ、
　水１２を入れる容器１０の底面部分に開口部１１が形成されていて、上記ヒータ用正特性サーミスタ装置が底部からゴム製パッキングを挟んで取り付けられていること。」
（３）引用発明との対比
ア　本件補正発明と引用発明とを対比する。
（ア）後者の「補充タンク２１１」は、前者の「リザーバー」に相当し、後者の「ウオツシヤ液」は、前者の「ウォッシャー液」に相当する。また、後者は「前記加熱タンク２１２は前記補充タンク２１１の下部に一体にされており、前記補充タンク２１１及び前記加熱タンク２１２は断面の小さい連通穴２１７で連通されていて前記補充タンク２１１のウオツシヤ液が前記加熱タンク２１２へ供給され、前記加熱タンク２１２は常にウオツシヤ液で充満されて」いるものであるから、該補充タンク２１１から流入するウオツシヤ液が保存されるものといえる。
　そうすると、後者の「加熱タンク２１２」と、前者の「リザーバーと一体に装着されて該リザーバーから流入するウォッシャー液が保存される補助タンク」とは、「リザーバーと一体にされて該リザーバーから流入するウォッシャー液が保存される補助タンク」の点で共通する。
（イ）後者の「ウオツシヤ液を加熱する」「前記加熱タンク２１２の底部に一体にされ」ている「ヒータ４５」と、前者の「前記補助タンクと一体に装着されて該補助タンクに保存されているウォッシャー液を加熱するヒーターアセンブリー」とは、「前記補助タンクと一体にされて該補助タンクに保存されているウォッシャー液を加熱するヒーターアセンブリー」である点で共通する。
（ウ）後者の「前記加熱タンク２１２は前記補充タンク２１１の下部に一体にされており、前記補充タンク２１１及び前記加熱タンク２１２は断面の小さい連通穴２１７で連通されていて前記補充タンク２１１のウオツシヤ液が前記加熱タンク２１２へ供給され、前記加熱タンク２１２は常にウオツシヤ液で充満されており」との構成は、補充タンク２１１内のウオツシヤ液が高さの差異及び圧力によって加熱タンク２１２に流入することは明らかであるから、前者の「前記リザーバーの下部に形成されたホールの注入口が補助タンクの上部に形成され、前記リザーバーのホールに補助タンクの注入口が繋がれることで、リザーバー内のウォッシャー液が高さの差異及び圧力によって補助タンクに流入されて満たされ」との構成とは、「リザーバー内のウォッシャー液が高さの差異及び圧力によって補助タンクに流入されて満たされ」との構成で共通する。
（エ）後者の「ポンプ３１およびモータ３２で構成されるモータポンプ」、「管路２２２」及び「噴射ノズル２２」は、それぞれ、前者の「ウォッシャーポンプ」、「ウォッシャーホース」及び「ウォッシャーノズル」に相当し、後者の「前記加熱タンク２１２のウオツシヤ液はその側壁に設けたウオツシヤ液の流出口２１４から管路２２２を介してポンプ３１およびモータ３２で構成されるモータポンプで吸み出され、管路２２２を介して前記噴射ノズル２２から噴出される」との構成と、前者の「前記補助タンクにウォッシャーポンプが繋がって前記補助タンクに保存されたウォッシャー液が前記ウォッシャーポンプによって吸入された後、ウォッシャーホースを通じてウォッシャーノズルへ送り出されるように」する構成とは、「前記補助タンクに保存されたウォッシャー液が前記ウォッシャーポンプによって吸入された後、ウォッシャーホースを通じてウォッシャーノズルへ送り出されるように」する構成で共通する。
（オ）後者の「ウインドウウオツシヤ装置」は、「加熱タンク２１２」を含むところ、該「加熱タンク２１２」は、上記（ア）を踏まえると「補充タンク２１１」と一体であるから、前者の「リザーバー一体型のウォッシャー液加熱装置」に相当する。
イ　以上のことから、本件補正発明と引用発明との一致点及び相違点は、次のとおりである。
【一致点】
「リザーバーと一体にされて該リザーバーから流入するウォッシャー液が保存される補助タンク、及び
　前記補助タンクと一体にされて該補助タンクに保存されているウォッシャー液を加熱するヒーターアセンブリーを含み、
　リザーバー内のウォッシャー液が高さの差異及び圧力によって補助タンクに流入されて満たされ、
　前記補助タンクに保存されたウォッシャー液が前記ウォッシャーポンプによって吸入された後、ウォッシャーホースを通じてウォッシャーノズルへ送り出されるようにするリザーバー一体型のウォッシャー液加熱装置。」
　
【相違点１】
「リザーバー」及び「補助タンク」に関し、
　本件補正発明は、「補助タンク」が「リザーバーと一体
に装着されて
　引用発明は、「前記加熱タンク２１２と
連通した
【相違点２】
　本件補正発明は、「ヒーターアセンブリ」が「前記補助タンクと一体
に装着されて
　引用発明は、「ヒータ４５」が「前記加熱タンク２１２の底部に一体にされて」いるものであるが、「ヒータ４５」の具体的な構成及び固定手段が特定されていない点。
【相違点３】
「ウォッシャーポンプ」に関し、
　本件補正発明は、「前記補助タンクにウォッシャーポンプが
繋がって
　引用発明は、「前記加熱タンク２１２のウオツシヤ液はその側壁に設けたウオツシヤ液の流出口２１４から管路２２２を介してポンプ３１およびモータ３２で構成されるモータポンプで吸み出され」る構成であって、「加熱タンク２１２」に「モータポンプ」が繋がっていることが特定されていない点。
　
（４）判断
　以下、相違点について検討する。
ア　相違点１について
　「装着」の字義は、衣服や防具などを身につけること。付属品を本体に取りつけること。[株式会社岩波書店広辞苑第六版]であるところ、引用発明も「加熱タンク２１２」を「補充タンク２１１」に取りつけているといえるから、「加熱タンク２１２」が「補充タンク２１１」に装着されいるものということができる。
　また、引用発明の「連通穴２１７」も、下記当審が作成した参考図（引用文献１の第２図における連通穴２１７が設けられる部材の周辺を拡大して模式化した図）のように、「連通穴２１７」の上側（補充タンク２１１側）のＡの箇所は、「補充タンク２１１」の下部に形成されたホールといえるものであり、また、該「連通穴２１７」の下側（加熱タンク２１２側）のＢの箇所は、「補充タンク２１１」のホールに繋がる注入口といえるものであるから、上記相違点１は、実質的な相違点とはいえない。
　仮に、本件補正発明の上記「装着」の概念が「補助タンク」に「リザーバ」を「別体に取り付ける」ことを意味するものであり、また、引用発明の「連通穴２１７」の構成がかかるホール及び注入口を有するものといえないとしても、例えば、実公昭４０−１５３７１号公報の「連結管２」による「主タンク１」と「加熱タンク３」の接続構造、並びに、実願昭５９−１５４２４２号（実開昭６１−７０１７３号）のマイクロフィルムの特に第２図の「通路３」による「ウォッシャタンク１」と「サブタンク５」の接続構造に示されているように、加熱タンクに補充タンクを別体に取り付けるとともに、補充タンクの下部にホールを、加熱タンクの上部に注入口を形成することは、従来周知の技術（以下「周知技術１」という。）といえるから、引用発明と当該周知技術１に基いて、上記相違点１に係る本願補正発明の発明特定事項とすることは、当業者が容易に想到し得たことである。
　
イ　相違点２について
（ア）上記「（２）イ（イ）」で述べたように、引用文献２には、以下の事項が記載されている。
「水に接して加熱を行うヒータ用正特性サーミスタ装置において、
　皿状に成型されたカバー１と底板２との間に形成される空間内に２つの正特性サーミスタ素子６ａ，６ｂが収納され、底板２の表面には格子状の放熱フィン５が設けられ、
　水１２を入れる容器１０の底面部分に開口部１１が形成されていて、上記ヒータ用正特性サーミスタ装置が底部からゴム製パッキングを挟んで取り付けられていること。」
（イ）また、上記事項と各図面から次の事項が認定できる。
ａ　第２図を参照すると、ヒータ用正特性サーミスタ装置は、容器１０内の水を加熱するために前記容器１０の開口部１１に取り付けられている正特性サーミスタ素子６ａ，６ｂ及び底板２を含むこと。
ｂ　上記認定事項ａ及び第３図（Ｂ）を参照すると、正特性サーミスタ素子６ａ，６ｂ及び底板２は発熱される加熱面が容器１０内の水を加熱できるように開口部１１を通じて前記容器１０の内側に露出するように固定されていること。
ｃ　さらに、第２図を参照すると、ヒータ用正特性サーミスタ装置は、正特性サーミスタ素子６ａ，６ｂ及び底板２を収納するように容器１０にゴム製パッキングを挟んで取り付けられる皿状に成型されたカバー１を含むこと。
ｄ　上記認定事項ｂ及び第１図から、正特性サーミスタ素子６ａ，６ｂ及び底板２とカバー１を容器１０に固定するための取付用の孔４ａ〜４ｈを有すること。
ｅ　さらに第３図（Ｂ）を参照すると、正特性サーミスタ素子６ａ，６ｂ及び底板２が取り付けられる容器１０の開口部１１は、容器１０の底面部分に形成されること。
　以上の認定事項から、上記事項は、以下のように整理することができる。（以下「引用文献２に記載された事項」という。）
「水に接して加熱を行うヒータ用正特性サーミスタ装置であって、
　容器１０内の水を加熱するために前記容器１０の開口部１１に取り付けられている正特性サーミスタ素子６ａ，６ｂ及び底板２を含み、
　前記正特性サーミスタ素子６ａ，６ｂ及び底板２は発熱される加熱面が前記容器１０内の水を加熱できるように前記開口部１１を通じて前記容器１０の内側に露出するように固定され、
　ヒータ用正特性サーミスタ装置は、
　前記正特性サーミスタ素子６ａ，６ｂ及び底板２を収納するように前記容器１０にゴム製パッキングを挟んで取り付けられる皿状に成型されたカバー１、及び
　前記正特性サーミスタ素子６ａ，６ｂ及び底板２とカバー１を前記容器１０に固定するための取付用の孔４ａ〜４ｈをさらに含み、
　前記正特性サーミスタ素子６ａ，６ｂ及び底板２が取り付けられる容器１０の開口部１１は、容器１０の底面部分に形成されること。」
（ウ）引用発明と引用文献２に記載された事項とは、液体を加熱するヒータという技術分野で共通するところ、引用発明において、「ヒータ４５」の具体的な構成及びその固定手段は所期の目的を達成する範囲で適宜選択し得るものであるから、引用発明に引用文献２に記載されている事項を適用する動機付けは充分存在するといえる。
　そして、引用発明の「ヒータ４５」に代えて引用文献２に記載されている事項の「ヒータ用正特性サーミスタ装置」を採用すると、引用発明の「ヒータ４５」の構成が、
　加熱タンク２１２内のウオツシヤ液を加熱するために前記加熱タンク２１２の開口部に取り付けられている正特性サーミスタ素子及び底板を含み、
　前記正特性サーミスタ素子及び底板は発熱される加熱面が前記加熱タンク２１２内のウオツシヤ液を加熱できるように前記開口部を通じて前記加熱タンク２１２の内側に露出するように固定され、
　ヒータ用正特性サーミスタ装置は、
　前記正特性サーミスタ素子及び底板を収納するように前記加熱タンク２１２にゴム製パッキングを挟んで取り付けられる皿状に成型されたカバー、及び
　前記正特性サーミスタ素子及び底板とカバーを前記加熱タンク２１２に固定するための取付用の孔をさらに含み、
　前記正特性サーミスタ素子及び底板が取り付けられる加熱タンク２１２の開口部は、加熱タンク２１２の底面部分に形成される構成となる。
（エ）上記（ウ）の引用発明の「ヒータ４５」の構成において、「正特性サーミスタ素子」及び「底板」を併せたものは、本件補正発明の「ヒータ」に相当し、以下同様に、「皿状に成型されたカバー１」は「保護カバー」に、「加熱タンク２１２の開口部」は「補助タンクのホール」に、それぞれ相当し、「取付用の孔」はボルト等の締め付け手段を用いて取り付けることは技術常識であるから、本件補正発明の「締め付け手段」といえる。
　また、引用発明の「ヒータ４５」に係る「前記正特性サーミスタ素子及び底板が取り付けられる加熱タンク２１２の開口部は、加熱タンク２１２の底面部分に形成される」との構成は、引用文献１の第２図に示された「ポンプ３１およびモータ３２で構成されるモータポンプ」によってウオツシヤ液の吸入がなされる位置である「流出口２１４」の配置からみて、「前記正特性サーミスタ素子及び底板が設置される加熱タンク２１２の開口部」は、該モータポンプによってウオツシヤ液の吸入がなされる位置より低い位置に形成される構成となることが明らかである。
（オ）よって、引用発明に引用文献２に記載された事項を適用して、上記相違点２に係る本願補正発明の発明特定事項とすることは、当業者が容易に想到し得たことである。
ウ　相違点３について
　引用発明は、「前記加熱タンク２１２のウオツシヤ液はその側壁に設けたウオツシヤ液の流出口２１４から管路２２２を介してポンプ３１およびモータ３２で構成されるモータポンプで吸み出され」る構成であり、「加熱タンク２１２」に「ポンプ３１およびモータ３２で構成されるモータポンプ」が、「管路２２２」を介してだが、繋がっている構成といえるから、上記相違点３は、実質的な相違点とはいえない。
　仮に、本件補正発明の「前記補助タンクにウォッシャーポンプが繋がって」との構成が、本件明細書の段落【００１７】に「
ウォッシャーポンプ１４は補助タンク１０１
に装着される
　
エ　そして、これらの相違点を総合的に勘案しても、本件補正発明の奏する作用効果は、引用発明、引用文献２に記載された事項及び周知技術１，２の奏する作用効果から予測される範囲内のものにすぎず、格別顕著なものということはできない。
　
オ　請求人の主張について
（ア）請求人は、令和１年６月２５日に提出された審判請求書の「３．」で、
「（８）本発明のリザーバー一体型のウォッシャー液加熱装置は、ヒーターが設置される補助タンクのホールが、ウォッシャーポンプによってウォッシャー液の吸入がなされる位置より低い位置に形成されることによって、板状のヒーター１１０が、常にウォッシャー液の中にあり、そこで発熱されることで過熱を防止することができる効果を有するものであります。 
  
（９）このような効果を有する『リザーバー一体型のウォッシャー液加熱装置』について、引用文献１〜３には記載も示唆もなされておりません。」
　と主張するので、検討する。
（イ）検討
　上記「イ（ウ）及び（エ）」で述べたように、引用発明の「ヒータ４５」に代えて引用文献２に記載されている事項の「ヒータ用正特性サーミスタ装置」を採用すると、正特性サーミスタ素子及び底板は発熱される加熱面が加熱タンク２１２内のウオツシヤ液を加熱できるように開口部を通じて前記加熱タンク２１２の内側に露出するように固定されるとともに、正特性サーミスタ素子及び底板が設置される加熱タンク２１２の開口部は、該モータポンプによってウオツシヤ液の吸入がなされる位置より低い位置に形成される構成となるから、本件補正発明の構成と差異はない。
　請求人の主張する「板状のヒーター１１０が、常にウォッシャー液の中にあり、そこで発熱されることで過熱を防止することができる効果」も、例えば、特開２００８−２３７９０５号公報の段落【００４２】に「ヒーター２６が動作している状態で循環ポンプ６２が動作すると、図２Ａに示すように、水槽２０の水が循環装置６０を通って回転槽３０に流入する。しかし、この場合、循環ポンプ６２の駆動によって水槽２０に給水された水の高さが低くなり、
この水位がヒーター２６の設置高さｈ１よりも低くなると、ヒーター２６の発熱部２６ａは空気と接触して高温に過熱され、ヒーターの故障及び火災につながる危険性がある
カ　したがって、本件補正発明は、引用発明及び引用文献２に記載された事項に基いて、又は、引用発明、引用文献２に記載された事項及び周知技術１．２に基いて、当業者が容易に発明をすることができたものであるから、特許法２９条２項の規定により、特許出願の際独立して特許を受けることができないものである。
　
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
　
第３　本願発明について
１　本願発明
　令和１年６月２５日にされた手続補正は、上記のとおり却下されたので、本願の請求項１ないし７に係る発明は、平成３０年１０月１９日にされた手続補正により補正された特許請求の範囲の請求項１ないし７に記載された事項により特定されるものであるところ、その請求項１に係る発明（以下「本願発明」という。）は、その請求項１に記載された事項により特定される、前記「第２［理由］１（２）」に記載のとおりのものである。
２　原査定の拒絶の理由
　原査定の拒絶の理由は、この出願の請求項１に係る発明は、本願の優先日前に頒布された又は電気通信回線を通じて公衆に利用可能となった下記の引用文献１に記載された発明及び引用文献２に記載された事項に基いて、その出願前にその発明の属する技術の分野における通常の知識を有する者が容易に発明をすることができたものであるから、特許法２９条２項の規定により特許を受けることができない、という理由を含むものである。
・引用文献１：実願昭５３−１６８３２０号（実開昭５５−０８５３５２号）のマイクロフ
ィルム
・引用文献２：実願昭６３−０３３００８号（実開平０１−１３７０９４号）のマイクロフ
ィルム
３　引用文献
　原査定の拒絶の理由で引用された引用文献１及び２、並びにその記載事項は、上記「第２［理由］２（２）」に記載したとおりである。
　
４　対比・判断
　本願発明は、上記「第２［理由］２」で検討した本件補正発明から、「補助タンク」及び「補助タンクのホール」の構成ないしそれらの関係について、「前記補助タンクにウォッシャーポンプが繋がって前記補助タンクに保存されたウォッシャー液が前記ウォッシャーポンプによって吸入された後、ウォッシャーホースを通じてウォッシャーノズルへ送り出されるようにし、前記ヒーターが設置される補助タンクのホールは、前記ウォッシャーポンプによってウォッシャー液の吸入がなされる位置より低い位置に形成される」との限定事項を省いたものである。
　そうすると、本願発明の発明特定事項を全て含み、さらに他の事項を付加したものに相当する本件補正発明が、前記「第２［理由］２（３）、（４）」に記載したとおり、引用発明及び引用文献２に記載された事項に基いて、又は引用発明、引用文献２に記載された事項及び周知技術１．２に基いて、当業者が容易に発明をすることができたものであるから、本願発明も、引用発明及び引用文献２に記載された事項に基いて、又は引用発明、引用文献２に記載された事項及び周知技術１．２に基いて、当業者が容易に発明をすることができたものである。
　
第４　むすび
　以上のとおり、本願発明は、引用発明及び引用文献２に記載された事項に基いて、又は引用発明、引用文献２に記載された事項及び周知技術１．２に基いて、当業者が容易に発明をすることができたものであるから、特許法２９条２項の規定により特許を受けることができない。
　したがって、その余の請求項について検討するまでもなく、本願は拒絶されるべきものである。
　よって、結論のとおり審決する。